(57)【要約】  負荷の開閉・保護用の主回路機器と保護制御機器と負荷の状態を表示する表示部（１０）とを有する制御ユニット（５）が、箱体（２）内に多段に区画されたユニット室（３）に収納され、表示部（１０）が箱体（２）の外部から視認できるように構成されたコントロールセンタ（１）において、表示部（１０）は、バックライト付の液晶表示素子を備えた液晶表示部（１２）を有し、バックライトは、正常時は白色に点灯させ、異常発生時はオレンジ色に変えるように構成した。
2009101714.tif 000002
【特許請求の範囲】
【請求項１】
負荷の開閉・保護用の主回路機器と保護制御機器と前記負荷の状態を表示する表示部とを有する制御ユニットが、箱体内に多段に区画されたユニット室に収納され、前記表示部が前記箱体の外部から視認できるように構成されたコントロールセンタにおいて、
前記表示部はバックライト付の液晶表示素子を備え、正常時と異常発生時とで前記バックライトの色を変えるように構成されていることを特徴とするコントロールセンタ。
【請求項２】
請求項１記載のコントロールセンタにおいて、前記液晶表示素子のタイプはＳＴＮ型であることを特徴とするコントロールセンタ。
【請求項３】
請求項２記載のコントロールセンタにおいて、前記液晶表示素子による明暗表示は、文字部を明表示とし、文字部外の背景部を暗表示とするネガ表示であることを特徴とするコントロールセンタ。
【請求項４】
請求項３記載のコントロールセンタにおいて、前記バックライトの色は白色とオレンジ色の２種類とし、前記正常時は前記バックライトを前記白色に点灯させて前記文字部を前記白色で表示し、前記異常発生時は前記バックライトを前記オレンジ色に点灯させて前記文字部を前記オレンジ色で表示するように構成されていることを特徴とするコントロールセンタ。
【発明の詳細な説明】
【技術分野】
【０００１】
この発明は、電力用プラント等に使用されるモータの起動制御・保護などを行うコントロールセンタに関し、特に、その負荷状態を表示する表示部に関するものである。
【背景技術】
【０００２】
コントロールセンタは、主回路開閉器、保護装置及び監視制御器具などをユニット毎にまとめたものを、閉鎖した外箱に集合的に組み込んだ装置である。
図４は従来のコントロールセンタの一例を示す斜視図であり、図５は内部に収納される制御ユニットの斜視図である。図４に示すように、コントロールセンタの箱体２１の内部は、上下複数段に区画されて複数のユニット室が形成されており、各ユニット室の前面には、開閉扉２２が設けられている。そして、ユニット室内には、制御ユニット２３が前面から引き出し自在に収納されている。【０００３】
制御ユニット２３は、図５に示すように、枠体２４の内部に、主回路電源のＯＮ／ＯＦＦ切替用の遮断器２５を始め、電磁開閉器、変圧器等の主回路機器が収容され、枠体２４の前面側には、運転状況を表示する表示ランプ２６や操作スイッチ等の監視制御器具が配置されている。
この制御ユニット２３を箱体２１のユニット室に収納した状態で、遮断器２５の操作ハンドルの操作と、表示ランプ２６の監視や操作スイッチの操作が可能なように、前記開閉扉２２には、切り欠き窓２２ａが設けられている（例えば、特許文献１参照）。【０００４】
【特許文献１】特開平１０−２９３６０１号公報（第２−３頁、図１及び図３）
【発明の開示】
【発明が解決しようとする課題】
【０００５】
制御ユニット２３は、制御対象負荷の数だけ必要なため、通常は、図４に示すように、複数面のコントロールセンタが横一列に配列され、規模によっては、更に、それが複数列配置されて全体が構成されている。
上記のような従来のコントロールセンタでは、制御対象負荷において異常が発生した場合には、その制御ユニット２３の表示ランプ２６を点灯又は点滅さることにより、操作員に異常を知らせるようになっていた。制御対象負荷の数が非常に多い場合、コントロールセンタの制御ユニット２３の数も非常に多くなるので、もし、いずれかの制御ユニット２３で異常を知らせるために表示ランプ２６が点灯又は点滅しても、多数の制御ユニット２３の中から当該制御ユニットを直ちに判別するのは非常に困難であるという問題点があった。【０００６】
この発明は、上記のような問題点を解消するためになされたもので、多数配設されたコントロールセンタの制御ユニットの中から、負荷の異常を知らせる制御ユニットを容易に判別できるコントロールセンタを提供することを目的とする。
【課題を解決するための手段】
【０００７】
この発明に係わるコントロールセンタは、負荷の開閉・保護用の主回路機器と保護制御機器と負荷の状態を表示する表示部とを有する制御ユニットが、箱体内に多段に区画されたユニット室に収納され、表示部が箱体の外部から視認できるように構成されたコントロールセンタにおいて、表示部はバックライト付の液晶表示素子を備え、正常時と異常発生時とでバックライトの色を変えるように構成されているものである。
【発明の効果】
【０００８】
この発明のコントロールセンタによれば、コントロールセンタを構成する制御ユニットの表示部は、バックライト付の液晶表示素子を備え、正常時と異常発生時とでバックライトの色を変えるように構成したので、制御対象の負荷に異常が発生した場合に、多数配設されたコントロールセンタの制御ユニットの中から、異常表示された制御ユニットを容易に判別できるため、負荷の異常に速やかに対処することができる。
【図面の簡単な説明】
【０００９】
【図１】この発明の実施の形態１におけるコントロールセンタを示す部分正面図である。
【図２】図１のコントロールセンタに収納された制御ユニットに備えられている表示部を示す図である。
【図３】図２の液晶表示部を示す図である。
【図４】従来のコントロールセンタを示す斜視図である。
【図５】図４のコントロールセンタに収納された制御ユニットの斜視図である。
【発明を実施するための最良の形態】
【００１０】
実施の形態１．
図１はこの発明の実施の形態１によるコントロールセンタの部分正面図である。コントロールセンタの全体構成については、背景技術の項で説明した図４と同等なので、図示及び説明は省略する。図１は、図４に示したコントロールセンタの、多段に配置されたうちの一部の制御ユニットを拡大した部分に相当する。【００１１】
図１において、コントロールセンタ１は、外箱となる箱体２の内部が複数に区画されて、前面に開口部を有するユニット室３が多段に形成されている。各ユニット室３の前面開口部には開閉扉４が設けられ、ユニット室３を開閉できるようになっており、ユニット室３内には制御ユニット５が引き出し可能に収納されている。図は、複数段に収納された制御ユニット５のうちの２段分を示しており、上段は、開閉扉４を開いてユニット室３内部に収容された制御ユニット５の前面部が見えている状態を示し、下段は、開閉扉４を閉めた状態を示している。【００１２】
開閉扉４を開けたとき、前面から見える機器として、主回路電源をＯＮ／ＯＦＦする遮断器７の操作ハンドル７ａと、電子式リレーやＣＰＵ等の電子部品を備えてケースに収容された保護制御リレー８と、制御線接続用の端子台９とを図示しているが、これらの奥側には、更に、電磁開閉器，制御トランス等の主回路機器、及び、電流センサ等の保護制御機器が、枠体６内に配置されて支持，固定されており、これらで制御ユニット５が構成されている。但し、収容される機器・部品は制御対象となる負荷やユニットの機能によって異なる。保護制御リレー８の前面側には、負荷の状態を表示する表示部１０が設けられている。
開閉扉４を閉めたときは、外部から遮断器７の操作ハンドル７ａを操作できると共に、表示部１０が視認できるように、開閉扉４の、操作ハンドル７ａと表示部１０に対応する部分に窓４ａが開口している。【００１３】
図２は表示部１０の拡大図であり、開閉扉４の外部から見える部分を示している。
表示部１０は、運転，停止，故障，伝送異常等の運転状態を表示するＬＥＤ表示部１１と、主回路電流，トリップ電流，エラーコード，故障要因等を表示する液晶表示部１２とを備えている。この液晶表示部１２は、バックライト付の液晶表示素子１３で構成されている。
また、表示部１０の下部側には、制御スイッチやモードスイッチ類が配置されたスイッチ部１４となっているが、本発明の主要部ではないので説明は省略する。【００１４】
図３は、図２の液晶表示部１２の詳細を示す図である。液晶表示部１２には、例えば、正常運転時には、主回路電流値を大きく表示し、負荷にトリップ等の異常が発生した異常時には、トリップ電流値を表示する。
液晶表示素子１３のタイプは、ＳＴＮ（Super  Twisted  Nematic）型を採用している。
また、液晶表示素子１３による明暗表示は、文字部１３ａを明表示とし、文字部外の背景部１３ｂを暗表示とするネガ表示としている。更に、バックライトの色は、白色とオレンジ色の２種類とする。（なお、文字部には記号等も含む。）【００１５】
そして、正常運転時は、バックライトを白色に点灯させて、文字部１３ａをその透過光によって白色に表示させる。このとき、文字部以外の背景部１３ｂの色は、ＳＴＮ型特有の青色であり、バックライトによって明るい青色に見える。
負荷に異常が発生してそれを知らせるときは、バックライトをオレンジ色に変化させて、文字部１３ａをその透過光により明るいオレンジ色に表示させる。このとき、文字部以外の背景部１３ｂの色は、青色とバックライトのオレンジ色とが合成されて、青みがかった暗いオレンジ色となる。
なお、図３では、文字部をセグメント方式で図示しているが、ドットマトリクス方式であっても良い。【００１６】
次に、上記のように構成した表示部１０の作用について説明する。
コントロールセンタ１は、背景技術の項の図４で説明したように、複数のコントロールセンタが横一列に配置（列盤）され、更に、大規模な電力プラント等においては、列盤されたものが前後に複数列配置されて構成される。多い場合では、例えば、横方向に１０面以上列盤されたものが１０列を越えて配置される場合がある。各コントロールセンタ１の箱体２の内部には、多段に制御ユニット５が収納されており、制御ユニット５毎に表示部１０が設けられているので、非常に多数の表示部１０が整然と配列されていることになる。運転時には、作業員が列盤配置されたコントロールセンタ１の間の通路を巡回しながら各制御ユニット５の表示部１０を監視して、負荷の運転制御や、保守・点検を行う。【００１７】
もし負荷に異常が発生した場合は、その制御ユニット５の表示部１０で異常を知らせるが、上記のように、非常に多くの表示部１０が配列されている中から異常表示した制御ユニット５を迅速に見つけ出すためには、できるだけ遠くから表示部が視認できることが望ましい。従来のコントロールセンタでは、主にＬＥＤ表示部のランプの点滅等で異常を知らせていたが、ＬＥＤ表示部は小さい点光源なので、上述のように多数の表示部１０を有するコントロールセンタ群では、通路から遠く離れた位置にある制御ユニット５の表示部１０の異常表示を素早く発見するのが困難であった。【００１８】
このために、この発明の実施の形態１では、液晶表示部１２をバックライト付の液晶表示素子１３とし、異常時にバックライトの色を変えて表示するようにした。すなわち、異常発生時には、その制御ユニット５の表示部１０において、ＬＥＤ表示部１１の故障ランプを点灯又は点滅させると共に、液晶表示部１２は、例えばトリップ電流値を表示し、更に、バックライトを白色からオレンジ色に切り替える。こうすることで、非常に多くの表示部１０の中から、作業員は速やかに異常の制御ユニット５を見つけることができ、迅速に対処することができる。【００１９】
ここで、液晶表示素子１３にＳＴＮ型を採用し、また、明暗表示をネガ表示とし、バックライトの色を白色とオレンジ色の２色を採用したことについて説明する。
コントロールセンタは、多数の電動機等の負荷を集中して、開閉・制御・保護をする開閉制御装置であり、長期間安定して使用できるよう高い信頼性が要求されている。したがって、液晶表示部１２も長寿命で高信頼性のものでなければならず、この理由から、これまでは液晶表示素子にＴＮ（Twisted  Nematic）型が多く採用されてきたが、ＴＮ型は視野角が狭いという欠点があった。列盤されたコントロールセンタ１の表示部１０を離れた場所から見る場合は、かなり斜めから見ることになるので、できるだけ液晶表示部１２の視野角が広いことが望ましい。
そこで、ＴＮ型と同様に長寿命であり、ＴＮ型より広い視野角をもつＳＴＮ型を採用した。これにより、長寿命で高い信頼性を維持しながら、遠くからでも視認できる表示部１０を得ることが可能となった。【００２０】
また、ポジ表示やネガ表示と、バックライトの色を各種組み合わせて実験した結果、ポジ表示よりネガ表示の方が周囲環境の明るさが変化しても視認性が良いこと、且つ、バックライトを白色（正常時）からオレンジ色（異常時）に変化させる組み合わせが、異常表示の視認性が良いことが分かった。すなわち、異常表示時の背景色として、ＳＴＮ型素子の青色とバックライトのオレンジ色との合成色が、色彩的に違和感がなく、高コントラストが得られ、且つ、正常時の表示部の背景色（明るい青色）との区別もよくできることが分かった。【００２１】
このように、白色とオレンジ色のバックライトの採用により、正常運転時は、明るい青色の背景に白文字として、文字をはっきりと視認できると共に、異常発生時は、青みがかった暗いオレンジ色の背景に明るいオレンジ色の文字が浮かび上がり、特に異常発生時において、異常表示を遠くからでもはっきりと判別することが可能となった。
なお、異常時において、オレンジ色のバックライトは点灯だけではなく、点滅させても良い。また、文字部１３ａのみを点滅させる等、点灯と点滅を組み合わせても良い。【００２２】
以上のように、実施の形態１のコントロールセンタによれば、コントロールセンタを構成する制御ユニットの表示部は、バックライト付の液晶表示素子を備え、正常時と異常発生時とでバックライトの色を変えるように構成したので、制御対象の負荷に異常が発生した場合に、多数配設されたコントロールセンタの制御ユニットの中から、異常表示された制御ユニットを容易に判別できるため、負荷の異常に速やかに対処することができる。【００２３】
また、液晶表示素子のタイプはＳＴＮ型としたので、広い視野角を有するため、表示部の異常表示を遠くからでも判別することができ、また、長寿命を有するため高い信頼性を維持することができる。【００２４】
また、液晶表示素子の明暗表示は、文字部を明表示とし、文字部外の背景を暗表示とするネガ表示としたので、ポジ表示に比べて、異常発生時の表示部の視認性が高まり、見やすい表示部を提供できる。【００２５】
更にまた、バックライトの色は白色とオレンジ色の２種類とし、正常時はバックライトを白色に点灯させて文字部を白色で表示し、異常発生時はバックライトをオレンジ色に点灯させて文字部をオレンジ色で表示するように構成したので、異常発生時の表示部の視認性が高まり、遠くからでも異常表示を判別することが容易となるため、異常時に速やかに対応することができる。
【図１】
2009101714.tif 000003
【図２】
2009101714.tif 000004
【図３】
2009101714.tif 000005
【図４】
2009101714.tif 000006
【図５】
2009101714.tif 000007
【国際調査報告】
2009101714.tif 000008
2009101714.tif 000009
2009101714.tif 000010
2009101714.tif 000011